(57)【要約】【課題】  その人の体型に合わせてズボンの裾丈を簡単に調整することができ、耐久性を損なうことなく、フィット感が得られて着用時に違和感が生じないようにし、また見栄えが悪化しないようにする。【解決手段】  織布製のズボン１の裾の下端縁近傍に、表面側に所定長さで垂下するヒダ部２を複数段形成し、各ヒダ部２の裏側に、布地を切断した時の繊維のほつれを防止するほつれ防止手段３を施す。また、ズボン１の裾の下端部のうち、少なくとも下端縁部ｚから最上段のヒダ部２が含まれる所定領域ｄの裾幅ｅを一定とし、また、ズボン１の裾の下端部及びヒダ部２の下端部に、裾幅を調整するための雌雄一対の係止具４ａ、４ｂを設ける。【選択図】      図３
2005154961.tif 000002
【特許請求の範囲】
【請求項１】
サイズを調整できるようにした織布製のズボンであって、裾の下端縁近傍に、表面側に所定長さで垂下するヒダ部が上下方向に複数段形成され、各ヒダ部の裏側の布地の所定箇所には、布地を切断した時の繊維のほつれを防止するためのほつれ防止手段が施されることを特徴とするサイズ調整機能付きズボン。
【請求項２】
前記ズボンの裾の下端部のうち、少なくとも下端縁から最上段のヒダ部が含まれる所定領域の裾幅は一定であることを特徴とする請求項１に記載のサイズ調整機能付きズボン。
【請求項３】
前記ズボンの裾の下端部及びヒダ部の下端部には、裾幅を調整するための裾幅調整手段が設けられることを特徴とする請求項１又は請求項２に記載のサイズ調整機能付きズボン。
【請求項４】
前記織布は、撥水性能を有することを特徴とする請求項１〜請求項３のいずれか１項に記載のサイズ調整機能付きズボン。
【発明の詳細な説明】
【技術分野】
【０００１】
本発明は、例えば化学繊維等の織布製のズボンにサイズ調整機能を持たせるための技術に関し、特に自転車を運転する場合に有用な雨衣に関する。
【背景技術】
【０００２】
従来、例えば雨天用ズボンやオーバーズボン等の裾丈を調整する技術として、ズボンを構成する本体布の脚部を膝下で上下布に分離し、上布の下端部から所要寸法だけ上方に離隔した位置と、下布の上端部との間にメッシュ布等の通風材を介在させ、上布の裏面側から股下長さ調整用のベルト布を垂下させるとともに、下布の上端部にベルト布を所要位置で固着するための止具を設け、この止具に留め付けるベルト布の位置を調整することで、メッシュ布を撓ませて裾丈を調整するようにした技術（例えば、特許文献１参照。）や、ズボンの両脚の膝部分の両側に、オスメスの係止具を上下に間隔をあけて配設し、各係止具を係合させることで、膝部分に折り重ね部分を形成して裾丈を調整するような技術（例えば、特許文献２、特許文献３参照。）などが知られている。
【０００３】
【特許文献１】特開２０００−１９９１０７号公報（図４等）
【特許文献２】特開平９−２５６２０６号公報（図１〜図４等）
【特許文献３】実用新案登録第３０４９０３８号公報（図１、図２）
【発明の開示】
【発明が解決しようとする課題】
【０００４】
ところが、上記のような技術は、いずれも裾の一部を撓ませたり、折り重ねたりして裾丈を調整するようにしているため、着用時に違和感を感じたり、フィット感が得られない等の問題があった。
また、一般的にズボンの形状は胴体側から足先側に向けて裾幅が細くなっているため、裾の途中を撓ませたり、折り重ねたりすると、シルエットが変化し、見栄えが悪くなるという問題もあった。
【０００５】
そこで本発明は、その人の体型に合わせてズボンの裾丈を調整することができ、耐久性を損なうことなく、フィット感が得られるとともに着用時に違和感が生じないようにし、また見栄えが悪化しないようにすることを目的とする。
【課題を解決するための手段】
【０００６】
上記目的を達成するため本発明は、サイズを調整できるようにした織布製のズボンにおいて、裾の下端縁近傍に、表面側に所定長さで垂下するヒダ部を上下方向に複数段形成し、各ヒダ部の裏側の布地の所定箇所には、布地を切断した時の繊維のほつれを防止するためのほつれ防止手段を施すようにした。
【０００７】
ここで、ほつれ防止手段としては、例えば樹脂やゴム等の素材からなるフィルム等を接着剤や溶着等によって貼着してもよく、または布地の裏側の繊維を部分的に溶融させてほつれが生じないようにしても良く、その他の方法によるようにしても良い。
そして、その人の体型に合わせて、ほつれ防止手段を施した箇所をはさみ等の任意の手段で切断して裾丈を調整すれば、簡単にフィット感の良いズボンを得ることができる。この際、切断部には、ほつれ防止手段が施されているため、織布製のズボンでも切断部から繊維がほつれるような不具合はなく、また、切断部はヒダ部で隠されるため、見栄えが悪化するような不具合もない。
ここで、ヒダ部の数や長さや間隔等は任意であるが、男性や女性や年齢等に応じて、平均的な身長を殆どカバーできるように設定しておけば便利である。
【０００８】
また本発明では、前記ズボンの裾の下端部のうち、少なくとも下端縁から最上段のヒダ部が含まれる所定領域の裾幅を一定とした。
このように裾の下端側の所定領域の裾幅を一定にすれば、ヒダ部の裏側のどの個所を切断してもシルエットは変化せず、見栄えの低下が防止される。
【０００９】
また本発明では、前記ズボンの裾の下端部及びヒダ部の下端部に、裾幅を調整するための裾幅調整手段を設けるようにした。
このように、裾幅調整手段を設ければ、例えば自転車に乗ったり、各種作業を行ったりするような場合に、裾部分が引っ掛かったり、作業の邪魔になったりするような不具合を避けることができるが、ヒダ部の下端部にも設けておくことで、裾下の一部を切断したときも、裾の最下端部の裾幅を調整できる。
【００１０】
また本発明では、前記織布に、撥水性能を持たせるようにした。
本発明で使用する織布において、撥水性能を付与する具体的な方法としては、撥水糸を使用して織布を織ったり、通常の織布にシリコン系撥水剤やフッ素系撥水剤等を固定したり、織布の表面や裏面に薄い合成樹脂層を設ける等の方法がある。撥水性能を付与する場合に、合成樹脂層を設ける場合には、湿度透過性のあるウレタン樹脂が好ましい。
このように、撥水性能を有する織布を使用することにより、雨衣等にも使用することができる。
【発明の効果】
【００１１】
織布製のズボンの裾の下端縁近傍に、表面側に所定長さで垂下するヒダ部を上下方向に複数段形成し、各ヒダ部の裏側の所定箇所の布地に、ほつれ防止手段を施すとともに、その人の体型に合わせて、ほつれ防止手段を施した箇所を切断して裾丈を調整すれば、簡単にフィット感の良いズボンを得ることができる。この際、切断部はヒダ部で隠されるため、見栄えが悪化するような不具合はなく、また、切断部からほつれるような不具合もない。
そして、裾の下端部の所定領域の裾幅を一定にすれば、シルエットが変化せず見栄えの低下が防止される。
また、ズボンの裾の下端部やヒダ部の下端部に、裾幅調整手段を設ければ、作業等を行うような場合に邪魔にならない。
また、織布に撥水性能を持たせることにより、雨衣等にも使用できるようになる。
【発明を実施するための最良の形態】
【００１２】
本発明の実施の形態について添付した図面に基づき説明する。
ここで図１は本発明に係るズボンの概観図、図２はズボンのシルエットを説明するための説明図、図３はヒダ部の断面図、図４は裾幅調整手段の説明図である。
【００１３】
本発明に係るサイズ調整機能付きズボンは、例えば防水性のあるオーバーズボンとして構成され、その人の体型に合わせてズボンの裾丈を調整した際、耐久性を損なうことなく、フィット感が得られるとともに着用時に違和感が生じることがなく、また見栄えが悪化しないようにされている。
【００１４】
すなわち、本サイズ調整機能付きズボン１は、本実施例の場合、ポリアミド系繊維等の化学繊維からなる織布から成形されるているとともに、織布の裏面には、薄いウレタン樹脂層が設けられている。また、図１に示すように、裾の下端縁近傍の表面側に、下方に向けて垂下する複数段のヒダ部２が形成され、このヒダ部２の裏側の布地には、後述するほつれ防止手段３が施されている。
【００１５】
そして、このほつれ防止手段３が施された箇所を切断することで、裾丈を調整できるようにされ、その際、ほつれ防止手段３により切断部の繊維のほつれが防止されるとともに、切断部はヒダ部２によって隠されるようになっている。
【００１６】
このヒダ部２とほつれ防止手段３の細部について、図３に基づき説明する。
ヒダ部２は、図３に示すように、裾の布地を途中で摘んだ状態にして基端部ｘを縫着して形成されるとともに、表面側に垂下するようにされ、実施例の場合、上下２段に設けられている。そして、ヒダ部２の中間部ｙも縫合され、また、中間部ｙの下方のうち、両脚の外側部分には、裾幅調整手段としての雌雄一対のボタン式の係止具４ａ、４ｂが所定間隔をおいて取り付けられている。
【００１７】
また、裾の下端縁部ｚ付近のうち、両脚の外側部分にも、裾幅調整手段としての雌雄一対のボタン式の係止具４ａ、４ｂが取り付けられており、これらを係合させると、図４に示すように、裾幅が狭まり、係合させないでおくと、裾幅が広いままになるようにしている。
【００１８】
前記ヒダ部２の裏側の布地に形成されるほつれ防止手段３は、図３に示すように、基端部ｚの縫着部の裏側に内周全域に渡って接着剤で貼着されるフィルム状のシームテープ５の一部を利用するようにしており、このシームテープ５は、ヒダ部基端部ｘの縫着部の縫い目を塞ぐ機能と、切断時の繊維のほつれ防止機能を兼ね備えるようにされている。
【００１９】
なお、本実施例におけるこれらヒダ部２とシームテープ５貼着部の具体的な寸法諸元等は、ヒダ部２の長さａが２ｃｍ程度、上段のヒダ部２下端部から下段のヒダ部２上端までの長さｂが３ｃｍ程度、シームテープ５の幅ｃが２ｃｍ程度で、実質的にヒダ部２の裏側のテープ５幅が１ｃｍ程度になるようにしている。
また、接着されるシームテープ５としては、フィルム状の樹脂製素材としている。
【００２０】
ところで、上記のようなズボン１の下端側の裾幅は、ある領域において一定とされている。すなわち、図２に示すように、最上段のヒダ部２のよりやや上方の位置から、裾の下端縁部ｚまでの領域ｄにおける裾幅ｅは一定にされ、ほつれ防止手段３が施された箇所をどこで切断しても裾の最下端部の裾幅ｅが一定で、シルエットが変化しないようにされている。
【００２１】
以上のようなサイズ調整機能付きズボン１の作用等について説明する。
使用者は、自分の体型に合わせて裾丈を調整する。すなわち、必要に応じて１段目のヒダ部２の裏側か、２段目のヒダ部２の裏側のほつれ防止手段３が施された箇所（シームテープ５貼着部）をはさみ等の任意の手段で切断する。
【００２２】
すると、切断部では繊維のほつれがなく、また、表面がヒダ部２で覆われるとともに、切断部の箇所に拘わらず裾の最下端部の裾幅ｅは一定でシルエットが変化しないため、見栄えが低下するような不具合はなく、また、着用時のフィット感を向上させることができる。
【００２３】
そして、必要に応じて、最下端部の裾幅調整手段の雌雄のボタン式の係止具４ａ、４ｂを係合させることにより、例えば自転車に乗るときや、各種作業を行うような時に、裾が広がりすぎて邪魔になるような不具合がない。また、例えば洗車等の時に、裾の下端部を長靴等の履物の中に収納することも楽に行えるようになる。
因みに、裾幅調整手段をベルトや面ファスナ等で行うような場合は、これらの端末の拘束が外れると、ベルトや面ファスナの端末等が自転車に乗った場合に巻き込まれたり、各種作業の邪魔になったりするが、ボタン式の場合はそのような不具合がない。
【００２４】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、ヒダ部２の数や寸法諸元等は例示である。
【産業上の利用可能性】
【００２５】
織布製のズボンの裾の下端縁近傍に複数段のヒダ部を形成し、ヒダ部の裏側に、切断したときの繊維のほつれを防止するほつれ防止手段を施すことにより、その人の体型に合わせてズボンの裾丈を簡単に調整することが可能で、耐久性を損なうことなく、フィット感が得られて着用時に違和感が生じることがなく、しかも見栄えも良好にできる。
【図面の簡単な説明】
【００２６】
【図１】本発明に係るズボンの概観図
【図２】ズボンのシルエットを説明するための説明図
【図３】ヒダ部の断面図
【図４】裾幅調整手段の説明図
【符号の説明】
【００２７】
１…サイズ調整機能付きズボン、２…ヒダ部、３…ほつれ防止手段、４ａ、４ｂ…係止具、５…シームテープ。
【図１】
2005154961.tif 000003
【図２】
2005154961.tif 000004
【図３】
2005154961.tif 000005
【図４】
2005154961.tif 000006